【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
遊技機に対して１対１で設けられ、前記遊技機に対応して設けられる計数手段により計数された遊技媒体の数であって遊技に使用可能な計数値を特定可能な記録情報を記録した記録媒体として、会員遊技者に対して発行される会員用記録媒体、又は、不特定多数の遊技者に対して発行されるビジタ用記録媒体を受け付け、該受け付けた記録媒体の記録情報から特定される計数値を対応する遊技機での遊技に使用可能とする計数値使用処理を行う遊技用装置であり、使用する遊技媒体に第１の価値が設定された第１設定の遊技用装置、及び、使用する遊技媒体に前記第１の価値と異なる第２の価値が設定された第２設定の遊技用装置と通信可能な管理装置であって、
複数の前記遊技用装置の各々に対応する前記遊技機の機種を管理する機種管理手段と、
前記計数値が特定可能とされた記録媒体を受け付けた遊技用装置から、当該記録媒体を受け付けた旨を示す受付情報を受信する受信手段と、
該受信手段により受信した受付情報に基づいて、移動元である一の遊技用装置から移動先である他の遊技用装置に記録媒体を移動する台移動が行われた旨と、前記第１設定の遊技用装置から前記第２設定の遊技用装置への前記記録媒体の台移動が行われた旨と、前記一の遊技用装置に対応する一の機種の遊技機から前記他の遊技用装置に対応する他の機種の遊技機への台移動が行われた旨とを特定する台移動特定手段と、
該台移動特定手段により特定された台移動に関わる台移動データを集計する集計手段と、を有し、
前記台移動特定手段は、前記受信手段により前記ビジタ用記録媒体の受付情報を受信したことに基づいて、当該ビジタ用記録媒体の台移動を特定し、
前記集計手段は、該台移動特定手段により特定された前記ビジタ用記録媒体の台移動に関わる台移動データも集計することを特徴とする管理装置。
【請求項２】
遊技機に対して１対１で設けられ、前記遊技機に対応して設けられる計数手段により計数された遊技媒体の計数値を特定可能な記録情報を記録した記録媒体を受け付け、該受け付けた記録媒体の記録情報から特定される計数値を対応する遊技機での遊技に使用可能とする計数値使用処理を行う遊技用装置であり、使用する遊技媒体に第１の価値が設定された第１設定の遊技用装置、及び、使用する遊技媒体に前記第１の価値と異なる第２の価値が設定された第２設定の遊技用装置と通信可能な管理装置であって、
複数の前記遊技用装置の各々に対応する前記遊技機の機種を管理する機種管理手段と、
前記計数値が特定可能とされた記録媒体を受け付けた遊技用装置から、当該記録媒体を受け付けた旨を示す受付情報を受信する受信手段と、
該受信手段により受信した受付情報に基づいて、移動元である一の遊技用装置から移動先である他の遊技用装置に記録媒体を移動する台移動が行われた旨と、前記第１設定の遊技用装置から前記第２設定の遊技用装置への前記記録媒体の台移動が行われた旨と、前記一の遊技用装置に対応する一の機種の遊技機から前記他の遊技用装置に対応する他の機種の遊技機への台移動が行われた旨とを特定する台移動特定手段と、
該台移動特定手段により特定された台移動に関わる台移動データを集計する集計手段と、を有し、
前記記録媒体の記録情報から特定される計数値を貯蓄又は景品交換に供するための処理を行う使用処理端末から、当該計数値が前記貯蓄又は景品交換に供されたことにより零となった旨を特定可能な計数値零情報を受信したことに基づいて、前記集計手段は、前記台移動データの集計を終了することを特徴とする管理装置。
【請求項３】
請求項１又は２に記載した管理装置であって、
前記第１設定の遊技用装置は、前記第２の価値の遊技媒体から変換された第１の価値の遊技媒体を使用可能なものであり、
前記第２設定の遊技用装置は、前記第１の価値の遊技媒体から変換された第２の価値の遊技媒体を使用可能なものであることを特徴とする管理装置。
【手続補正２】
【補正対象書類名】明細書
【補正対象項目名】発明の名称
【補正方法】変更
【補正の内容】
【発明の名称】管理装置
【手続補正３】
【補正対象書類名】明細書
【補正対象項目名】０００１
【補正方法】変更
【補正の内容】
【０００１】
本発明は、遊技機に対応して設けられる計数手段により計数された遊技媒体の計数値を特定可能な情報を記録した記録媒体を受け付け、該受け付けた記録媒体の記録情報から特定される計数値を対応する遊技機での遊技に使用可能とする計数値使用処理を行う遊技用装置と通信可能な管理装置に関する。
【手続補正４】
【補正対象書類名】明細書
【補正対象項目名】０００６
【補正方法】変更
【補正の内容】
【０００６】
本発明は、このような背景のもとになされたものであり、その目的は、遊技機に対応して設けられる計数手段により計数された遊技媒体の計数値が特定可能とされた記録媒体による台移動を可能とした遊技用装置と通信可能な管理装置において、台移動データを集計できるようにすることにある。
【手続補正５】
【補正対象書類名】明細書
【補正対象項目名】０００８
【補正方法】変更
【補正の内容】
【０００８】
まず手段１に係る発明は、
遊技機（パチンコ機１０）に対して１対１で設けられ、前記遊技機に対応して設けられる計数手段（各台計数機１９）により計数された遊技媒体（パチンコ玉）の数であって遊技に使用可能な計数値を特定可能な記録情報を記録した記録媒体として、会員遊技者に対して発行される会員用記録媒体（会員カード２）、又は、不特定多数の遊技者に対して発行されるビジタ用記録媒体（ビジタカード３）を受け付け、該受け付けた記録媒体の記録情報から特定される計数値（持玉数）を対応する遊技機での遊技に使用可能とする計数値使用処理（持玉返却処理）を行う遊技用装置（カードユニット２０）であり、使用する遊技媒体に第１の価値（例えば１円）が設定された第１設定の遊技用装置（１円貸し機）、及び、使用する遊技媒体に前記第１の価値と異なる第２の価値（例えば４円）が設定された第２設定の遊技用装置（４円貸し機）と通信可能な管理装置（ホールコンピュータ１００）であって、
複数の前記遊技用装置の各々に対応する前記遊技機の機種を管理する機種管理手段（グループＤＢ）と、
前記計数値が特定可能とされた記録媒体（持玉有りカード）を受け付けた遊技用装置から、当該記録媒体を受け付けた旨を示す受付情報を受信する受信手段（通信部１０１）と、
該受信手段により受信した受付情報に基づいて、移動元である一の遊技用装置から移動先である他の遊技用装置に記録媒体を移動する台移動が行われた旨と、前記第１設定の遊技用装置から前記第２設定の遊技用装置への前記記録媒体の台移動が行われた旨と、前記一の遊技用装置に対応する一の機種の遊技機から前記他の遊技用装置に対応する他の機種の遊技機への台移動が行われた旨とを特定する台移動特定手段（制御部１０２）と、
該台移動特定手段により特定された台移動に関わる台移動データを集計する集計手段（制御部１０２及び各ＤＢ）と、を有し、
前記台移動特定手段は、前記受信手段により前記ビジタ用記録媒体の受付情報を受信したことに基づいて、当該ビジタ用記録媒体の台移動を特定し、
前記集計手段は、該台移動特定手段により特定された前記ビジタ用記録媒体の台移動に関わる台移動データも集計することを特徴とする管理装置である。
これによれば、計数値が特定可能とされた記録媒体を受け付けた遊技用装置から受信した受付情報に基づいて、台移動が行われた旨と、第１設定の遊技用装置から第２設定の遊技用装置への台移動が行われた旨と、一の機種の遊技機から他の機種の遊技機への台移動が行われた旨とが特定され、該台移動に関わる台移動データが集計されるので、該台移動データを遊技場の運営や営業に活用することができる。そして不特定多数の遊技者が利用するビジタ用記録媒体についても、台移動データを集計することができる。
【手続補正６】
【補正対象書類名】明細書
【補正対象項目名】０００９
【補正方法】変更
【補正の内容】
【０００９】
また手段２に係る発明は、
遊技機（パチンコ機１０）に対して１対１で設けられ、前記遊技機に対応して設けられる計数手段（各台計数機１９）により計数された遊技媒体（パチンコ玉）の計数値を特定可能な記録情報を記録した記録媒体（会員カード２又はビジタカード３）を受け付け、該受け付けた記録媒体の記録情報から特定される計数値（持玉数）を対応する遊技機での遊技に使用可能とする計数値使用処理（持玉返却処理）を行う遊技用装置（カードユニット２０）であり、使用する遊技媒体に第１の価値（例えば１円）が設定された第１設定の遊技用装置（１円貸し機）、及び、使用する遊技媒体に前記第１の価値と異なる第２の価値（例えば４円）が設定された第２設定の遊技用装置（４円貸し機）と通信可能な管理装置（ホールコンピュータ１００）であって、
複数の前記遊技用装置の各々に対応する前記遊技機の機種を管理する機種管理手段（グループＤＢ）と、
前記計数値が特定可能とされた記録媒体（持玉有りカード）を受け付けた遊技用装置から、当該記録媒体を受け付けた旨を示す受付情報を受信する受信手段（通信部１０１）と、
該受信手段により受信した受付情報に基づいて、移動元である一の遊技用装置から移動先である他の遊技用装置に記録媒体を移動する台移動が行われた旨と、前記第１設定の遊技用装置から前記第２設定の遊技用装置への前記記録媒体の台移動が行われた旨と、前記一の遊技用装置に対応する一の機種の遊技機から前記他の遊技用装置に対応する他の機種の遊技機への台移動が行われた旨とを特定する台移動特定手段（制御部１０２）と、
該台移動特定手段により特定された台移動に関わる台移動データを集計する集計手段（制御部１０２及び各ＤＢ）と、を有し、
前記記録媒体の記録情報から特定される計数値を貯蓄又は景品交換に供するための処理を行う使用処理端末から、当該計数値が前記貯蓄又は景品交換に供されたことにより零となった旨を特定可能な計数値零情報を受信したことに基づいて、前記集計手段は、前記台移動データの集計を終了（台移動回数を確定）することを特徴とする管理装置である。
これによれば、計数値が特定可能とされた記録媒体を受け付けた遊技用装置から受信した受付情報に基づいて、台移動が行われた旨と、第１設定の遊技用装置から第２設定の遊技用装置への台移動が行われた旨と、一の機種の遊技機から他の機種の遊技機への台移動が行われた旨とが特定され、該台移動に関わる台移動データが集計されるので、該台移動データを遊技場の運営や営業に活用することができる。そして遊技者の意志により遊技＝台移動を終了した場合に、台移動データの集計を終了することができる。
【手続補正７】
【補正対象書類名】明細書
【補正対象項目名】００２１
【補正方法】変更
【補正の内容】
【００２１】
また手段９に係る発明は、
手段１又は２に記載した遊技用システムであって、
前記第１の価値の遊技媒体を前記第２の価値の遊技媒体に変換する変換手段をさらに備えることを特徴とする遊技用システムである。
換言すれば、前記第１設定の遊技用装置は、前記第２の価値の遊技媒体から変換された第１の価値の遊技媒体を使用可能なものであり、前記第２設定の遊技用装置は、前記第１の価値の遊技媒体から変換された第２の価値の遊技媒体を使用可能なものである。
これによれば、第１の価値の遊技媒体を第２の価値の遊技媒体に変換して、計数値使用処理に供することができる。